(57)【要約】【課題】ＩｏＴデバイスにベルを用いることで、相互に情報通信可能な情報伝達システムの提供を目的とする。【解決手段】ベルと、前記ベルを操作情報に基づいて作動させる作動手段と、前記操作情報を送受信するための送受信機とを備えたことを特徴とする。【選択図】  図１
2019090986.tif 000002
【特許請求の範囲】
【請求項１】
ベルと、前記ベルを操作情報に基づいて作動させる作動手段と、前記操作情報を送受信するための送受信機とを備えたことを特徴とするベルを用いた情報伝達システム。
【請求項２】
複数のベルから構成され、
前記複数のベルが通信手段にて相互に接続されていることを特徴とする請求項１記載のベルを用いた情報伝達システム。
【請求項３】
前記通信手段を介してベルを遠隔操作できる遠隔操作手段を有することを特徴とする請求項１又は２記載のベルを用いた情報伝達システム。
【発明の詳細な説明】
【技術分野】
【０００１】
本発明は、ＩｏＴデバイスにベルを用いた情報伝達システムに関する。
【背景技術】
【０００２】
従来のベルは、鳴らして楽しむものであったり、ドアベルや警報ベル等、単に鳴ったことを人に知らせるためのものであった。
特許文献１には、携帯機との無線操作により、自己車両が発見できるようにルームランプで報知する技術を開示するが、ベルを用いた情報伝達ではない。
【先行技術文献】
【特許文献】
【０００３】
【特許文献１】特開平１０−２２７８５２号公報
【発明の概要】
【発明が解決しようとする課題】
【０００４】
本発明は、ＩｏＴデバイスにベルを用いることで、相互に情報通信可能な情報伝達システムの提供を目的とする。
【課題を解決するための手段】
【０００５】
本発明に係るベルを用いた情報伝達システムは、ベルと、前記ベルを操作情報に基づいて作動させる作動手段と、前記操作情報を送受信するための送受信機とを備えたことを特徴とする。
ここで、作動手段は送信者側にとってベルを鳴らすためのものであり、受信者側にとっては操作信号を受信し、自動的にベルを鳴らすための装置である。
送受信機は操作信号を受信したり、ベルが鳴ったことを他に送信するためのものいう。
【０００６】
本発明において、複数のベルから構成され、前記複数のベルが通信手段にて相互に接続されているのが好ましい。
これにより、それぞれのベルの間で情報交換ができる。
また、ベルが鳴る音の周波数分析等による音の解析システムを有していてもよい。
このようにすると、音の解析システムにてノイズをフィルタリングし、ベルの誤作動等を防止する。
【０００７】
本発明において、通信手段を介してベルを遠隔操作できる遠隔操作手段を有するのが好ましい。
通信手段は、インターネット等を経由して、クラウド上のサーバーと直接通信するものや、携帯電話等の基地局を介してサーバーと通信接続してもよい。
費用を抑え、より多くのベルとの接続が容易な点では、Ｗｉ−Ｆｉ，Ｂｌｕｅｔｏｏｔｈ（登録商標），９２０ＭＨｚ帯無線，ＺｉｇＢｅｅ等のＩｏＴゲートウェイを介するのが好ましい。
また、さらにルーターを用いてネットワークを構築してもよい。
なお、比較的狭いエリアにおいては、ＩｏＴゲートウェイ間での相互通信も可能である。
また、通信手段は有線，無線を問わない。
【０００８】
ここで、遠隔操作手段は、モバイル通信端末やウエアラブル通信端末が好ましく、いわゆるスマートフォンやタブレット端末，スマートウォッチ等が例として挙げられる。
通信端末には、各種アプリケーションソフト（アプリ）を組み込むことができる。
例えば、ある１つのベルの操作状況をアプリを介して閲覧することができる。
また、アプリを操作することで、ある１つのベルから他のベルに情報を流すこともできる。
【０００９】
本発明において、相互の通信手段を介して、相互に情報伝達が可能な情報伝達手段を有していると、例えばアプリとしてベルを鳴らす時間を設定したり、ベルの鳴らす回数やその長さなどを組み合せて、情報内容を伝達することもできる。
例えば、一方のベルを１回短く鳴らすと、他方のベルの所有者に健康であることを伝える。
２回鳴らすと、アプリや他のベルの所有者にこれから外出することを伝える。
１回長く鳴らすと、応援を依頼することを伝える。
また、アプリを使って遠方のベルを操作できるので、所定の時間を設定してベルを鳴らしたり、複数の異なるベルを操作し、メロディーとして流すこともできる。
【発明の効果】
【００１０】
本発明に係るベルを用いた情報伝達システムは、ベルを介してその情報を伝達することができるので、従来のパソコン操作が必要なシステムと比較して、操作が簡単である。
本発明は、ベルが送受信の作動を兼用していることになる。
ベルが作動しているのが、送信としての作動であるのか、受信としての作動であるのかをより正確に区別判断する手段を用いることで、ほぼリアルタイムに相互情報伝達することが可能となる。
ベルが送受信の作動を兼用するベルにおいて、送信の動作によるものか、受信によるものか、判断する手段を有していると有効なベル情報伝達システムになる。
また、ベルを持ち歩くこともできるので、移動中に操作することもできる。
声を出せない人や、声を出せない状態においても情報伝達できる。
【図面の簡単な説明】
【００１１】
【図１】本発明に係る情報伝達システムの構成例を示し、（ａ）はベルを鳴らした情報を発信する例、（ｂ）は他の情報を受けてベルが鳴る場合を示す。
【図２】ベルの内部に制御部を設けた例を示す。
【図３】（ａ）は基地局を介してネットワークを形成した例を示し、（ｂ）はＩｏＴゲートウェイを介してネットワークを形成した例を示す。
【図４】複数のベルをＩｏＴゲートウェイを介してネットワークを形成した例を示す。
【図５】（ａ）はカウンターベルを用いた例を示し、（ｂ）はカウンターベルの構造例を示す。
【発明を実施するための形態】
【００１２】
本発明に係るベルを用いた情報伝達システムの構成例を、以下図に基づいて説明する。
図１は、（ａ）に示したベルと、（ｂ）に示したベルとの情報伝達例を示し、２つのベルをネットワークにて接続した例を示すが、ベルの数に制限がなく、多くのベルをネットワークを介して接続することができる。
制御部２は、図１に示すようにベルの外側でも、図２に示すようにベルの内部に設けてもよい。
このベルは、ベース部１ｂの上にベル本体部１ａを有している。
制御部２は、作動手段としてベルを電気的に鳴らす電子加振子３と、基地局１１やゲートウェイ１２との送受信機４を備えている。
ネットワークの構築方法としては、図３（ａ）に示すように基地局１１を介してサーバー、あるいはクラウド上のサーバーとネットワークを形成してもよく、図４に示すように各種無線方式のゲートウェイ１２を介して、ネットワークを構築してもよい。
図３（ｂ）は、それらを組み合せた例を示す。
【００１３】
図３（ａ）に示すように、一方のベル１Ａを鳴らすと、通信ネットワークを介して図１（ｂ）に示すように、他のベル１Ｂが鳴るようになっている。
また、逆にベル１Ｂを鳴らすと、ベル１Ａが鳴るようになっており、ベルを介して相互通信が可能である。
ここで、ベル１Ａを鳴らした後に所定の時間差を設けて、ベル１Ｂが鳴るようにしてもよい。
また、ネットワークは、例えばスマートフォン，タブレット等の通信端末１３とつながっている。
これにより、ベル１Ａの操作状況をアプリを介して知ることができ、ベル１Ｂを鳴らす操作も可能である。
ベルは、図５に示すようにカウンターベル５のように、例えば自転車等の移動体に取り付けることも可能である。
カウンターベル５には、操作部６ａを指で押し込み操作し、指を離すと打撃部６の復帰でベルが鳴るが、外部から遠隔操作できるように内部に打撃装置７を設けてある。
これにより、移動体の移動中に情報伝達が可能で有り、また移動体の所在場所を知ることもできる。
【符号の説明】
【００１４】
１Ａ      ベル
１Ｂ      ベル
２        制御部
３        電子加振子
４        送受信機
１１      基地局
１２      ゲートウェイ
１３      通信端末
【図１】
2019090986.tif 000003
【図２】
2019090986.tif 000004
【図３】
2019090986.tif 000005
【図４】
2019090986.tif 000006
【図５】
2019090986.tif 000007